(57)【要約】【課題】通信を開始する前に通信用件や緊急度などの付加情報を通知する、あるいは、付加情報に基づき着信を制御することができる着信制御装置、端末装置、メッセージ蓄積装置及び着信制御方法を提供する。【解決手段】第１の実施の形態に係る着信制御システムは、発信者が保持する発信端末２０ａ、着信者が操作する着信端末２０ｂ、各種装置や交換機を収容する通信網６０、発信者の在圏する発側交換機４０、着信者の在圏する着側交換機５０、留守番メッセージ蓄積装置、着信時に着信制御を行う着信制御装置１０から構成される。発信端末２０ａ及び着信端末２０ｂは、それぞれ発信時に付加情報の設定と着信時に付加情報の表示が可能な端末を対象とする。【選択図】図１
2005117170.tif 000002
【特許請求の範囲】
【請求項１】
第１の端末装置から第２の端末装置への通信網を介した通信を制御する着信制御装置であって、
前記第１の端末装置から、前記第２の端末装置の識別番号と前記第１の端末装置において設定された通信種別を示す付加情報とを含む第１の発呼信号を受信する受信部と、
前記第２の端末装置宛てに、前記付加情報を含む第２の発呼信号を送信する送信部と
を備えることを特徴とする着信制御装置。
【請求項２】
第１の端末装置から第２の端末装置への通信網を介した通信を制御する着信制御装置であって、
前記第１の端末装置から、前記第２の端末装置の識別番号と前記第１の端末装置において設定された通信種別を示す付加情報とを含む第１の発呼信号を受信する受信部と、
前記第２の端末装置への着信を許可する着信条件を蓄積する着信条件蓄積部と、
前記付加情報が所定の着信条件を満たす場合、前記第２の端末装置への着信を許可する制御部と
を備えることを特徴とする着信制御装置。
【請求項３】
前記制御部は、前記付加情報が所定の着信条件を満たす場合、前記着信条件に基づいて、前記第２の端末装置の呼び出し形態を決定することを特徴とする請求項２に記載の着信制御装置。
【請求項４】
通信網を介して通信を行う端末装置であって、
着信端末の識別番号と前記端末装置において設定された通信種別を示す第１の付加情報とを含む第１の発呼信号を交換機へ送信する発信制御部と、
交換機から第２の付加情報を含む第２の発呼信号を受信する着信制御部と、
前記第２の付加情報を表示する表示部と
を備えることを特徴とする端末装置。
【請求項５】
通信網を介して通信を行う端末装置であって、
前記端末装置への着信を許可する着信条件を蓄積する着信条件蓄積部と、
交換機から、発信端末において設定された通信種別を示す付加情報を含む発呼信号を受信し、前記付加情報が所定の着信条件を満たす場合、前記端末装置への着信を許可する着信制御部と
を備えることを特徴とする端末装置。
【請求項６】
前記着信制御部は、前記付加情報が所定の着信条件を満たす場合、前記着信条件に基づいて、前記端末装置の呼び出し形態を決定することを特徴とする請求項５に記載の端末装置。
【請求項７】
第１の端末装置から第２の端末装置へ通信網を介して通信を行う際、前記第２の端末装置が通信不可状態である場合に、前記第１の端末装置によって入力されたメッセージを蓄積するメッセージ蓄積装置であって、
前記メッセージと関連づけて、前記第１の端末装置において設定された通信種別を示す付加情報を蓄積する蓄積部と、
前記第２の端末装置が通信不可状態から通信可能状態へ復帰した後に、前記メッセージ及び前記付加情報を前記第２の端末装置へ送信する送信部と
を備えることを特徴とするメッセージ蓄積装置。
【請求項８】
第１の端末装置から第２の端末装置への通信網を介した通信を制御する着信制御装置が、
前記第１の端末装置から、前記第２の端末装置の識別番号と前記第１の端末装置において設定された通信種別を示す付加情報とを含む第１の発呼信号を受信するステップと、
前記第２の端末装置宛てに、前記付加情報を含む第２の発呼信号を送信するステップと
を含むことを特徴とする着信制御方法。
【請求項９】
通信網を介して通信を行う端末装置が、
着信端末の識別番号と前記端末装置において設定された通信種別を示す第１の付加情報とを含む第１の発呼信号を交換機へ送信するステップと、
交換機から第２の付加情報を含む第２の発呼信号を受信するステップと、
前記第２の付加情報を表示するステップと
を含むことを特徴とする着信制御方法。
【発明の詳細な説明】
【技術分野】
【０００１】
本発明は、通信網を介した端末間の通信を制御する着信制御装置、端末装置、メッセージ蓄積装置及び着信制御方法に関する。
【背景技術】
【０００２】
従来、音声通信や映像通信を行う際の発着信を制御する方法として、電車内や映画館などの発着信制限エリアに端末が存在する場合に、端末の発着信を制限する方法（例えば、特許文献１参照。）や、緊急である場合のみ、着信端末の着信音を出力する方法（例えば、特許文献２参照。）などが開示されている。
【０００３】
しかし、通信の内容については、実際に通信を行わない限り、着信者は知ることができない。そのため、発信者は緊急の通信であっても、着信者に対して緊急であることを事前に伝えることができず、また、「仕事」であるなどの通信用件も着信者へ通知することができない。逆に、着信者にとっては、事前に通信用件や緊急度などが把握できないため、通信許可もしくは通信拒否を着信者の都合にあわせて効果的に行うことができない。同様に、着信者が不在である場合や通信端末が通信不可（圏外）である場合に蓄積される、着信履歴や留守番メッセージにも通信用件や緊急度などの情報を付与することができない。
【特許文献１】特開２００３−２１９４６７号公報（「００３０」、「００３６」段落、図２及び図７）
【特許文献２】特開２００２−１１１７８８号公報（「００１０」〜「００１３」段落、図１２）
【発明の開示】
【発明が解決しようとする課題】
【０００４】
上記のように、従来の音声通信や映像通信における発着信では、通信が成立する前に通信内容や緊急度などの付加情報を通知することができないという問題があった。そのため、発信者が緊急のためにどうしても通信を行いたい場合や通信用件を伝えた上で通信を行いたい場合においても、着信者には通常の通信として認識されてしまうという問題が存在する。逆に、着信者が通信前に通信用件や緊急度などを知りたいと望んだとしても、全ての通信が一律同じように着信するという問題が存在する。また、着信者が「緊急の通信以外は着信させない」と望んだとしても、全ての通信が一律同じように着信するという問題が存在する。
【０００５】
そこで、上記の問題に鑑み、本発明は、通信を開始する前に通信用件や緊急度などの付加情報を通知する、あるいは、付加情報に基づき着信を制御することができる着信制御装置、端末装置、メッセージ蓄積装置及び着信制御方法を提供することを目的とする。
【課題を解決するための手段】
【０００６】
上記目的を達成するため、本発明の第１の特徴は、第１の端末装置から第２の端末装置への通信網を介した通信を制御する着信制御装置であって、（イ）第１の端末装置から、第２の端末装置の識別番号と第１の端末装置において設定された通信種別を示す付加情報とを含む第１の発呼信号を受信する受信部と、（ロ）第２の端末装置宛てに、付加情報を含む第２の発呼信号を送信する送信部とを備える着信制御装置であることを要旨とする。ここで、「第１の端末装置」とは、発信端末を指し、「第２の端末装置」とは、着信端末を指す。また、「識別番号」とは、第２の端末装置を呼び出す際の電話番号など端末固有の番号を指す。なお、第１の発呼信号と第２の発呼信号のフォーマットは、同じものであっても異なるものであっても構わない。
【０００７】
第１の特徴に係る着信制御装置によると、通信を開始する前に通信用件や緊急度などの付加情報を通知することが可能となる。
【０００８】
本発明の第２の特徴は、第１の端末装置から第２の端末装置への通信網を介した通信を制御する着信制御装置であって、（イ）第１の端末装置から、第２の端末装置の識別番号と第１の端末装置において設定された通信種別を示す付加情報とを含む第１の発呼信号を受信する受信部と、（ロ）第２の端末装置への着信を許可する着信条件を蓄積する着信条件蓄積部と、（ハ）付加情報が所定の着信条件を満たす場合、第２の端末装置への着信を許可する制御部とを備える着信制御装置であることを要旨とする。
【０００９】
第２の特徴に係る着信制御装置によると、付加情報に基づいて、端末装置への着信を許可、あるいは、拒否することができる。
【００１０】
又、第２の特徴に係る着信制御装置の制御部は、付加情報が所定の着信条件を満たす場合、着信条件に基づいて、第２の端末装置の呼び出し形態を決定してもよい。この着信制御装置によると、付加情報に基づいて、端末装置への着信を行う際、音を出力する通常着信やマナーモード着信などの呼び出し形態を決定することができる。
【００１１】
本発明の第３の特徴は、通信網を介して通信を行う端末装置であって、（イ）着信端末の識別番号と端末装置において設定された通信種別を示す第１の付加情報とを含む第１の発呼信号を交換機へ送信する発信制御部と、（ロ）交換機から第２の付加情報を含む第２の発呼信号を受信する着信制御部と、（ハ）第２の付加情報を表示する表示部とを備える端末装置であることを要旨とする。
【００１２】
第３の特徴に係る端末装置によると、通信を開始する前に通信用件や緊急度などの付加情報を通知することが可能となる。
【００１３】
本発明の第４の特徴は、通信網を介して通信を行う端末装置であって、（イ）端末装置への着信を許可する着信条件を蓄積する着信条件蓄積部と、（ロ）交換機から、発信端末において設定された通信種別を示す付加情報を含む発呼信号を受信し、付加情報が所定の着信条件を満たす場合、端末装置への着信を許可する着信制御部とを備える端末装置であることを要旨とする。
【００１４】
第４の特徴に係る端末装置によると、付加情報に基づいて、端末装置への着信を許可、あるいは、拒否することができる。
【００１５】
また、第４の特徴に係る端末装置の着信制御部は、付加情報が所定の着信条件を満たす場合、着信条件に基づいて、端末装置の呼び出し形態を決定してもよい。この端末装置によると、付加情報に基づいて、端末装置への着信を行う際、音を出力する通常着信やマナーモード着信などの呼び出し形態を決定することができる。
【００１６】
本発明の第５の特徴は、第１の端末装置から第２の端末装置へ通信網を介して通信を行う際、第２の端末装置が通信不可状態である場合に、第１の端末装置によって入力されたメッセージを蓄積するメッセージ蓄積装置であって、（イ）メッセージと関連づけて、第１の端末装置において設定された通信種別を示す付加情報を蓄積する蓄積部と、（ロ）第２の端末装置が通信不可状態から通信可能状態へ復帰した後に、メッセージ及び付加情報を第２の端末装置へ送信する送信部とを備えるメッセージ蓄積装置であることを要旨とする。
【００１７】
第５の特徴に係るメッセージ蓄積装置によると、端末装置が通信不可状態であって、通信可能状態へ復帰した際に、メッセージが蓄積されている旨と共に付加情報を送信することができる。
【００１８】
本発明の第６の特徴は、第１の端末装置から第２の端末装置への通信網を介した通信を制御する着信制御装置が、（イ）第１の端末装置から、第２の端末装置の識別番号と第１の端末装置において設定された通信種別を示す付加情報とを含む第１の発呼信号を受信するステップと、（ロ）第２の端末装置宛てに、付加情報を含む第２の発呼信号を送信するステップとを含む着信制御方法であることを要旨とする。
【００１９】
第６の特徴に係る着信制御方法によると、通信を開始する前に通信用件や緊急度などの付加情報を通知することが可能となる。
【００２０】
本発明の第７の特徴は、通信網を介して通信を行う端末装置が、（イ）着信端末の識別番号と端末装置において設定された通信種別を示す第１の付加情報とを含む第１の発呼信号を交換機へ送信するステップと、（ロ）交換機から第２の付加情報を含む第２の発呼信号を受信するステップと、（ハ）第２の付加情報を表示するステップとを含む着信制御方法であることを要旨とする。
【００２１】
第７の特徴に係る着信制御方法によると、通信を開始する前に通信用件や緊急度などの付加情報を通知することが可能となる。
【発明の効果】
【００２２】
本発明によると、通信を開始する前に通信用件や緊急度などの付加情報を通知する、あるいは、付加情報に基づき着信を制御する着信制御装置、端末装置、メッセージ蓄積装置及び着信制御方法を提供することができる。
【発明を実施するための最良の形態】
【００２３】
次に、図面を参照して、本発明の実施の形態を説明する。以下の図面の記載において、同一又は類似の部分には、同一又は類似の符号を付している。ただし、図面は模式的なものであることに留意すべきである。
【００２４】
（第１の実施の形態）
第１の実施の形態に係る着信制御システムは、図１に示すように、発信者が保持する発信端末２０ａ、着信者が操作する着信端末２０ｂ、各種装置や交換機を収容する通信網６０、発信者の在圏する発側交換機４０、着信者の在圏する着側交換機５０、留守番メッセージ蓄積装置３０、着信時に着信制御を行う着信制御装置１０から構成される。発信端末２０ａ及び着信端末２０ｂは、それぞれ発信時に付加情報の設定と着信時に付加情報の表示が可能な端末を対象とする。また、留守番メッセージ蓄積装置については、蓄積される留守番メッセージ（音声や画像）と発信者が設定した付加情報を保持する。着信制御装置１０は、発信者が設定した情報を用いて、どのように着信制御を行うかという着信条件を格納しており、ある利用者に対して着信が発生した時に、あらかじめ着信者が設定しておいた着信条件と発信者が設定した付加情報とを比較し、指定された着信制御を行う。
【００２５】
ここで、「付加情報」とは、通信用件や緊急度など通信種別を示す情報を指す。例えば、通信用件としては、「仕事」、「打ち合わせ」、「プライベート」などの文字、音声、画像を含む情報が挙げられ、緊急度としては、「高」、「中」、「低」など緊急の程度を表す文字、音声、画像を含む情報が挙げられる。
【００２６】
又、「着信条件」とは、着信者が着信を行うために、任意に設定できる条件である。着信を通知する呼び出し形態の種類としては、通常着信（音声出力着信）、マナーモード着信、留守番着信などが含まれ、着信条件は、条件に応じて、呼び出し形態を指定することができる。例えば、「着信条件」として、“緊急度が「高」のときは通常着信を行う”、あるいは、“通信用件に「仕事」が含まれるときは通常着信を行う”などの条件を設定することが可能である。
【００２７】
第１の実施の形態では、通信網６０内に着信制御装置１０を設置し、着信制御装置１０において着信条件を保持して着信制御を行うことを想定する。第１の実施の形態において、着信端末２０ｂまで情報が届く前に通信網６０内で着信制御を行うため、着信端末２０ｂと着側交換機５０間の信号を削減するメリットが存在する。但し、通信網６０内で着信拒否と判断された場合は、着信端末２０ｂには着信の履歴が残らないため、着信者が着信履歴を必要とする場合には、着信者による着信情報問い合わせを行うか、あるいは通信網６０側から定期的あるいは通信が可能となった際に、着信履歴を着信端末２０ｂへ自動的に送信しなくてはならない。
【００２８】
次に、着信制御装置１０の構成について、図２を参照して説明する。着信制御装置１０は、図２に示すように、通信インタフェース１１と、制御部１２と、一時記憶部１３と、着信条件蓄積部１４とを備える。
【００２９】
通信インタフェース１１は、通信網６０に接続され、交換機４０、５０と情報のやりとりをする。通信インタフェース１１には、発信端末２０ａから、着信端末２０ｂの識別番号と発信端末２０ａにおいて設定された通信種別を示す付加情報とを含む第１の発呼信号を受信する受信部と、着信端末２０ｂ宛てに、付加情報を含む第２の発呼信号を送信する送信部とが含まれる。
【００３０】
また、制御部１２は、各部を制御し、交換機４０、５０から指定利用者の着信条件確認依頼を受けた際、発信者の設定した付加情報と着信条件蓄積部に蓄積される着信条件との比較を行い、着信条件に応じて交換機４０に接続先の指示を行う。即ち、制御部１２は、付加情報が所定の着信条件を満たす場合、着側端末２０ｂへの着信を許可する。さらに、制御部１２は、付加情報が所定の着信条件を満たす場合、着信条件に基づいて、着信端末２０ｂの呼び出し形態を決定する。例えば、緊急度が「高」のときは、呼び出し形態を通常着信としたり、緊急度が「中」のときは、呼び出し形態をマナーモード着信としたりする。
【００３１】
また、一時記憶部１３は、付加情報と着信条件との比較を行う際、データの一時作業記憶場所として用いられる。
【００３２】
また、着信条件蓄積部１４は、利用者により設定された、端末装置への着信を許可する着信条件を蓄積し、制御部１２からの着信条件検索依頼を受けて、指定加入者の着信条件を返送する。
【００３３】
又、第１の実施の形態に係る着信制御装置１０は、処理制御装置（ＣＰＵ）を有し、制御部１２などをモジュールとして内蔵する構成とすることができる。これらのモジュールは、パーソナルコンピュータ等の汎用コンピュータにおいて、所定のプログラム言語を利用するための専用プログラムを実行することにより実現することができる。なお、図示してはいないが、着信制御装置１０は、制御部１２等の機能を実行させるためのプログラムを保存する記録媒体を備えていても良い。記録媒体は、例えば、ハードディスク、フレキシブルディスク、コンパクトディスク、ＩＣチップ、カセットテープなどが挙げられる。このようなプログラムを保持した記録媒体によれば、プログラムの保存、運搬、販売などを容易に行うことができる。
【００３４】
次に、発信端末２０ａ及び着信端末２０ｂとして機能する端末装置の構成について、図３を参照して説明する。端末装置２０ａ、２０ｂは、図３に示すように、接続部２１と、着信制御部２２と、発信制御部２３と、入力部２４と、表示部２５とを備える。
【００３５】
接続部２１は、端末装置２０ａ、２０ｂからの発信、あるいは、端末装置２０ａ、２０ｂへの着信を行う際に、交換機４０、５０と接続を行う。
【００３６】
また、発信制御部２３は、端末装置２０ａから発信を行う際に、図４に示すような発信画面を表示部２５へ表示する。図４は、付加情報を設定するための発信画面例である。発信画面７０は、例えば、通信相手先入力フィールド７１、通信用件入力フィールド７２、緊急度入力フィールド（緊急度選択ラジオボタン）７３、発信ボタン７４を有する。通信相手先入力フィールド７１は、利用者により相手先の電話番号など通信先を入力するフィールドであるが、利用者自身による入力の他に、端末装置２０ａ、２０ｂ内に保持している電話帳から相手先を選択することも可能とする。また、通信用件入力フィールド７２は、利用者により任意に入力を可能としてもよく、あらかじめ設定されている用件の中から最適な用件を選択することも可能としてもよい。同様に、緊急度入力フィールド７３は、図４のように、緊急度選択ラジオボタンにより、あらかじめ設定されている緊急度の中から、利用者が最適なものを選択することとしてもよく、通信用件入力フィールド７２のように、メニューから選択あるいは任意に入力することとしてもよい。
【００３７】
利用者は、各フィールドやラジオボタンを自由に設定した後、発信ボタン７４を押下する。発信制御部２３は、発信ボタン７４が押下された場合、着信端末２０ｂの識別番号と設定された付加情報とを含む発呼信号を発側交換機４０へ送信する。
【００３８】
なお、図４では、通信用件と緊急度を明確に指定することが可能な画面となっているが、このような雛型を用いず、利用者が自由に用件や緊急度などを記入してもよく、音声または画像を任意に設定可能な汎用的なフィールドを雛型として用意してもよい。
【００３９】
また、着信制御部２２は、交換機から付加情報を含む発呼信号を受信すると、図５に示すような着信通知画面を表示部２５へ表示する。図５は、図４の画面例を用いて発信を行った場合の着信通知画面例である。着信通知画面は、発信者情報表示部８１、通知用件表示部８２、緊急度表示部８３から構成され、各表示部には発信者が設定した付加情報などが表示される。着信条件が指定されていない場合や、付加情報と着信条件との比較において通常着信として制御することとなった場合に、この画面が表示されるが、着信者は、着信端末２０ｂの表示部２５に表示された付加情報などを確認し、接続拒否や保留、接続可能などを判断することができる。また、通知用件表示部８２や緊急度表示部８３に表示される情報は、文字列として表されてもよく、アイコンなどの画像として表されてもよい。
【００４０】
利用者は、入力部２４によって、付加情報を設定するための入力を行う。入力部２４としては、０から９までの数字と、“＊”、“＃”、“Ｆ”、“△”、“▽”、“決定”、“取消消などのプッシュボタンなどから構成されたキーボードが挙げられる。入力部２４から入力操作が行われると、対応するキー情報が発信制御部２３や着信制御部２２に伝えられる。入力部２４はプッシュボタンに限らず、スクロールボタンなどにより構成されていても構わない。
【００４１】
表示部２５は、付加情報を表示する。表示部２５としては、液晶表示装置（ＬＣＤ）、発光ダイオード（ＬＥＤ）パネル、エレクトロルミネッセンス（ＥＬ）パネル等が使用可能である。いずれにしても、標準的な携帯電話における一般的な情報、例えば入力された電話番号、選択された機能項目や短縮ダイヤル等、及び、現在の携帯情報機器の状態や、選択メニュー、通信結果などを表示するものであれば、表示部２５として使用可能である。
【００４２】
又、第１の実施の形態に係る端末装置２０ａ、２０ｂは、処理制御装置（ＣＰＵ）を有し、発信制御部２３などをモジュールとして内蔵する構成とすることができる。これらのモジュールは、汎用コンピュータにおいて、所定のプログラム言語を利用するための専用プログラムを実行することにより実現することができる。なお、図示してはいないが、端末装置２０ａ、２０ｂは、発信制御部２３等の機能を実行させるためのプログラムを保存する記録媒体を備えていても良い。記録媒体は、例えば、ＲＯＭ、ＩＣチップなどが挙げられる。このようなプログラムを保持した記録媒体によれば、プログラムの保存、運搬、販売などを容易に行うことができる。
【００４３】
次に、留守番メッセージ蓄積装置３０の構成について説明する。留守番メッセージ蓄積装置３０は、端末装置が通信網を介して通信を行う際、着信端末２０ｂが通信不可状態である場合に、発信端末２０ａによって入力されたメッセージを蓄積する。留守番メッセージ蓄積装置３０は、メッセージと関連づけて、発信端末２０ａにおいて設定された通信種別を示す付加情報を蓄積する蓄積部と、着信端末２０ｂが通信不可状態から通信可能状態へ復帰した後に、メッセージ及び付加情報を着信端末２０ｂへ送信する送信部とを備える。
【００４４】
次に、第１の実施の形態に係る着信制御方法について、図６及び図７を参照して説明する。
【００４５】
図６は、第１の実施の形態における発信から着信までを示すシーケンス図である。本シーケンスの前提として、着信制御装置１０は、着信端末２０ｂの着信条件を保持していることとする。
【００４６】
（イ）まず、ステップＳ１０１において、発信者が発信端末２０ａに付加情報を入力する。そして、ステップＳ１０２において、発信端末２０ａは、着信端末２０ｂの識別番号と入力された付加情報とを含む発呼信号を、発側交換機４０へ送信する。
【００４７】
（ロ）次に、ステップＳ１０３において、発側交換機４０は、着信制御装置１０に対し、識別番号及び付加情報を送信し、情報確認依頼を行う。着信制御装置１０は、発信端末２０ａにおいて入力された付加情報と、着信者が設定した着信条件とを比較する。ステップＳ１０４において、付加情報が、通常接続を行う着信条件と一致した場合は、ステップＳ１０５において、着信制御装置１０は、発側交換機４０に対し、通常接続指示を行う。
【００４８】
（ハ）ステップＳ１０６において、発側交換機４０は、着側交換機５０に接続を行う。そして、ステップＳ１０７において、着側交換機５０は着信端末２０ｂに対し、発信端末２０ａにおいて入力された付加情報を含む発呼信号を送信する。ステップＳ１０８において、着信端末２０ｂは、着信者に対して着信通知を行う。着信者が着信端末２０ｂに表示された付加情報を確認し、ステップＳ１０９において応答した場合は、ステップＳ１１０において、通信が成立する。
【００４９】
（ニ）一方、ステップＳ１０４において、付加情報が、通常接続を行う着信条件と一致しない場合は、ステップＳ１１１に進む。ステップＳ１１１において、付加情報が、留守番電話接続を行う着信条件と一致した場合は、着信制御装置１０は、発側交換機４０に対し、留守番電話接続指示を行う。そして、ステップＳ１１３において、発側交換機４０は、留守番メッセージ蓄積装置３０に接続する。
【００５０】
（ホ）また、ステップＳ１１１において、付加情報が、留守番電話接続を行う着信条件と一致しない場合は、ステップＳ１１４において、着信制御装置１０は接続を拒否する。そして、ステップＳ１１５において、発信端末２０ａは、発信者に接続不可通知を行う。
【００５１】
図７は、着信端末２０ｂが圏外や電源断などにより通信不可状態の際に行われるシーケンスを示す。この場合、発信端末２０ａから入力された付加情報とメッセージが留守番メッセージに蓄積され、その後、着信端末２０ｂが通信可能となったときに、蓄積されている留守番メッセージの情報を着信端末２０ｂに通知する。
【００５２】
（イ）まず、ステップＳ２０１において、発信者が発信端末２０ａに付加情報を入力する。そして、ステップＳ２０２において、発信端末２０ａは、着信端末２０ｂの識別番号と入力された付加情報とを含む発呼信号を、発側交換機４０へ送信する。
【００５３】
（ロ）次に、ステップＳ２０３において、発側交換機４０は、着信制御装置１０に対し、識別番号及び付加情報を送信し、情報確認依頼を行う。着信制御装置１０は、発信端末２０ａにおいて入力された付加情報と、着信者が設定した着信条件とを比較する。ここでは、付加情報が、通常接続を行う着信条件と一致したと仮定する。そして、ステップＳ２０４において、着信制御装置１０は、発側交換機４０に対し、通常接続指示を行う。
【００５４】
（ハ）次に、ステップＳ２０５において、発側交換機４０は、着側交換機５０に接続を行う。このとき、ステップＳ２０６において、着信端末２０ｂが圏外や電源断により通信不可状態である場合は、ステップＳ２０７において、着側交換機５０は着信を行うことができない。そして、ステップＳ２０８において、着側交換機５０は、発側交換機４０に対し、接続不可であることを通知する。次に、ステップＳ２０９において、発側交換機４０は、留守番メッセージ蓄積装置３０に接続する。そして、ステップＳ２１０において、留守番メッセージ蓄積装置３０は、発信端末２０ａによって入力された付加情報及びメッセージを蓄積する。
【００５５】
（ニ）その後、着信端末２０ｂが通信可能状態となった場合、ステップＳ２１１において、着信端末２０ｂは、着側交換機５０に対して通信可能になったことを通知する。そして、ステップＳ２１２において、着側交換機５０は、留守番メッセージ蓄積装置３０に対して接続可能になったことを通知する。ステップＳ２１３において、留守番メッセージ蓄積装置３０は、蓄積された、付加情報及びメッセージを着側交換機５０へ通知する。同様に、ステップＳ２１４において、着側交換機５０は、付加情報及びメッセージを着信端末２０ｂへ通知する。そして、ステップＳ２１５において、着信端末２０ｂに付加情報が表示され、着信者へメッセージが通知される。
【００５６】
次に、着信条件保持部１４が保持する着信条件の詳細について、図８を用いて説明する。
【００５７】
図８は、着信者が設定する着信条件９２を示す論理的な図である。着信者毎に着信条件９２を設定することが可能であり、それらは着信条件表９０として管理される。また、着信条件表９０には着信条件活性フラグ９１を保持しており、着信条件活性フラグ９１が活性であるときは、着信条件表９０が有効となり、非活性であることは無効となる。また、別の実施の形態として、着信条件９２毎に着信条件活性フラグ９１を保持し、それぞれの条件毎にきめ細かく有効または無効を指定することが可能とする方法もある。
【００５８】
着信条件９２は、図８に示すように、あらかじめ用意された条件要素９３を組み合わせて、細かく条件を指定することが可能であるが、例えば、通信用件に含まれる文字列を着信条件として指定したい場合などは、任意に利用者が文字列を入力し設定することを可能とする。
【００５９】
また、着信条件９２は、記述されている順に上から付加情報との比較を行うため、利用者によって比較する順序をカスタマイズすることが可能である。そのため、図６のシーケンスにおけるステップＳ１０４、Ｓ１１１、Ｓ１１４と後述する図１２のステップＳ３０５、Ｓ３０９、Ｓ３１３は必ずしもシーケンス通りの順ではなく、着信条件表９０に記述されている順序に従う。
【００６０】
図９は、留守番メッセージ蓄積装置３０内に保持される、発信者が設定した付加情報と蓄積音声メッセージや映像メッセージの論理的な構成図である。発信者が設定した付加情報と蓄積音声メッセージや映像メッセージの録音・録画日時は、メッセージ管理情報１００として、図９のような論理構造で保持される。メッセージ管理情報１００は、それぞれ対応する蓄積音声メッセージや映像メッセージと関連づけて保持される。メッセージ管理情報及びメッセージは、留守番メッセージ蓄積装置３０内の蓄積部１０１ａ、１０１ｂ、１０１ｃに保持される。図９では、複数の蓄積部１０１ａ、１０１ｂ、１０１ｃに分けてメッセージが蓄積されているが、すべてのメッセージを一つの蓄積部に保持しても構わない。
【００６１】
第１の実施の形態に係る着信制御装置、端末装置、メッセージ蓄積装置及び着信制御方法によると、通信前に付加情報を通知する手段を提供することで、発信者は通信用件や通信の緊急度などを着信者へ伝えることが可能となり、従来全て同様の通信としてしか認識できなかった着信通知に発信者の意図を付与して差をつけることが可能となる。また、着信者は事前に通知される用件、緊急度などの付加情報を用いて、効果的に通信許可、通信保留、通信拒否などをすることができ、望むように着信制御を実現することが可能となる。また、通信不可時に発信者が設定した付加情報を蓄積して、着信者が通信可能時に通知することが可能となる。
【００６２】
また、第１の実施の形態に係る着信制御システムによると、通信網６０内に着信制御装置１０を設置し、着信制御装置１０において着信制御を行うため、着信端末２０ｂと着側交換機５０間の信号を削減するメリットが存在する。
【００６３】
（第２の実施の形態）
第２の実施の形態に係る着信制御システムは、図１０に示すように、発信者が保持する発信端末１２０ａ、着信者が操作する着信端末１２０ｂ、各種装置や交換機を収容する通信網１６０、発信者の在圏する発側交換機１４０、着信者の在圏する着側交換機１５０から構成される。第２の実施の形態では、着信端末１２０ｂ内に着信条件を保持し、着信制御を着信端末２０ｂ内で行うことを想定する。着信制御装置１０において行っていた着信制御を、着信端末１２０ｂ内で行うこと以外は、第２の実施の形態に係る端末装置１２０ａ、１２０ｂは、基本的に第１の実施の形態に係る端末装置２０ａ、２０ｂと同様である。
【００６４】
なお、第２の実施の形態において、発信画面と着信通知画面は、それぞれ、図４、図５を用いることとし、着信条件は、図８、留守番メッセージの蓄積装置内の蓄積情報は、図９を用いることとする。
【００６５】
次に、第２の実施の形態に係る発信端末１２０ａ及び着信端末１２０ｂとして機能する端末装置の構成について、図１１を参照して説明する。端末装置１２０ａ、１２０ｂは、図１１に示すように、接続部１２１と、着信制御部１２２と、発信制御部１２３と、入力部１２４と、表示部１２５と、一時記憶部１２６と、着信条件蓄積部１２７とを備える。
【００６６】
接続部１２１は、端末装置１２０ａ、１２０ｂからの発信、あるいは、端末装置１２０ａ、１２０ｂへの着信を行う際に、交換機１４０、１５０と接続を行う。
【００６７】
また、発信制御部１２３は、端末装置１２０ａから発信を行う際に、図４に示すような発信画面を表示部１２５へ表示する。また、発信制御部１２３は、発信ボタン７４が押下された場合、着信端末１２０ｂの識別番号と設定された付加情報とを含む発呼信号を発側交換機１４０へ送信する。
【００６８】
また、着信制御部１２２は、発信者の設定した通信種別を示す付加情報を含む発呼信号を受信し、付加情報が所定の着信条件を満たす場合、端末装置への着信を許可する。具体的には、着信制御部１２２は、付加情報と着信条件蓄積部１２７に蓄積される着信条件との比較を行い、指定された条件に応じて、通常接続、接続拒否などを行う。着信制御部１２２は、着信条件が指定されていない場合や、付加情報と着信条件との比較において通常着信として制御することとなった場合に、図５に示す画面を表示部１２５に表示する。
【００６９】
また、一時記憶部１２６は、付加情報と着信条件との比較を行う際、データの一時作業記憶場所として用いられる。
【００７０】
また、着信条件蓄積部１２７は、利用者により設定された端末装置への着信を許可する着信条件を蓄積する。
【００７１】
なお、入力部２４及び表示部２５は、第１の実施の形態と同様であるので、ここでは説明を省略する。
【００７２】
次に、第２の実施の形態に係る着信制御方法について、図１２を参照して説明する。図１２に示すシーケンスの前提として、着信端末１２０ｂは、着信端末１２０ｂの着信条件を保持していることとする。
【００７３】
（イ）まず、ステップＳ３０１において、発信者が発信端末１２０ａに付加情報を入力する。そして、ステップＳ３０２において、発信端末１２０ａは、着信端末１２０ｂの識別番号と入力された付加情報とを含む発呼信号を、発側交換機１４０へ送信する。ステップＳ３０３において、発側交換機１４０は、着信端末１２０ｂの在圏する着側交換機１５０に接続を行う。
【００７４】
（ロ）ステップＳ３０４において、着側交換機１５０は、着信端末１２０ｂに対し、付加情報を含む発呼信号を送信する。着信端末１２０ｂは、発信端末１２０ａにおいて入力された付加情報と、着信者が設定した着信条件とを比較する。ステップＳ３０５において、付加情報が、通常接続を行う着信条件と一致した場合は、ステップＳ３０６において、着信端末１２０ｂは、付加情報を表示すると共に着信通知を行う。また、着信通知を受けた着信者が、付加情報を確認し、ステップＳ３０７で応答した場合は、ステップＳ３０８において、発信端末１２０ａと着信端末１２０ｂとの間で通信が成立する。
【００７５】
（ハ）一方、ステップＳ３０５において、付加情報が、通常接続を行う着信条件と一致しない場合は、ステップＳ３０９に進む。ステップＳ３０９において、付加情報が、接続拒否を行う着信条件と一致した場合は、ステップＳ３１０において、着信端末１２０ｂは、発側交換機１４０に対し、接続拒否であることを通知する。そして、ステップＳ３１１において、発側交換機１４０は、発信端末１２０ａに対し、接続拒否であることを通知する。ステップＳ３１２において、発信端末１２０ａは、接続不可であることを発信者に通知する。
【００７６】
（ニ）又、ステップＳ３０９において、付加情報が、接続拒否を行う着信条件と一致しない場合は、ステップＳ３１３において、着信端末１２０ｂは、留守番メッセージを保存するための伝言メモ機能など指定された端末機能を起動する。
【００７７】
なお、図示していないが、第２の実施の形態に係る着信制御システムは、留守番メッセージ蓄積装置を備え、第１の実施の形態において、図７を用いて説明したように、着信端末１２０ｂが通信不可状態から復帰した際に、留守番メッセージ蓄積装置に接続することにより、付加情報及びメッセージ情報を受信してもよい。
【００７８】
第２の実施の形態に係る端末装置及び着信制御方法によると、通信前に付加情報を通知する手段を提供することで、発信者は通信用件や通信の緊急度などを着信者へ伝えることが可能となり、従来全て同様の通信としてしか認識できなかった着信通知に発信者の意図を付与して差をつけることが可能となる。また、着信者は事前に通知される用件、緊急度などの付加情報を用いて、効果的に通信許可、通信保留、通信拒否などをすることができ、望むように着信制御を実現することが可能となる。また、通信不可時に発信者が設定した付加情報を蓄積して、着信者が通信可能時に通知することが可能となる。
【００７９】
また、第２の実施の形態に係る端末装置及び着信制御方法によると、端末装置が着信条件を保持することにより、着信端末内で付加情報と着信条件を比較し、着信制御を行うことができる。
【００８０】
（その他の実施の形態）
本発明は上記の実施の形態によって記載したが、この開示の一部をなす論述及び図面はこの発明を限定するものであると理解すべきではない。この開示から当業者には様々な代替実施の形態、実施例及び運用技術が明らかとなろう。
【００８１】
例えば、第１の実施の形態において、着信制御装置１０と留守番メッセージ蓄積装置３０とは異なる装置として説明したが、着信制御装置１０がメッセージ蓄積部を備え、メッセージ蓄積装置３０としての機能を有してもよい。
【００８２】
このように、本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００８３】
【図１】第１の実施の形態に係る着信制御システムの構成ブロック図である。
【図２】第１の実施の形態に係る着信制御装置の構成ブロック図である。
【図３】第１の実施の形態に係る端末装置の構成ブロック図である。
【図４】第１の実施の形態及び第２の実施の形態に係る端末装置の発信画面例である。
【図５】第１の実施の形態及び第２の実施の形態に係る端末装置の着信通知画面例である。
【図６】第１の実施の形態に係る着信制御方法を説明するシーケンス図である（その１）。
【図７】第１の実施の形態に係る着信制御方法を説明するシーケンス図である（その２）。
【図８】第１の実施の形態及び第２の実施の形態に係る着信制御方法において使用する着信条件の論理的構成を示す図である。
【図９】第１の実施の形態及び第２の実施の形態に係る留守番メッセージ蓄積装置に蓄積される情報を示す図である。
【図１０】第２の実施の形態に係る着信制御システムの構成ブロック図である。
【図１１】第２の実施の形態に係る端末装置の構成ブロック図である。
【図１２】第２の実施の形態に係る着信制御方法を説明するシーケンス図である。
【符号の説明】
【００８４】
１０  着信制御装置
１１  通信インタフェース
１２  制御部
１３  一時記憶部
１４  着信条件蓄積部
２０ａ、１２０ａ  発信端末
２０ｂ、１２０ｂ  着信端末
２１、１２１  接続部
２２、１２２  着信制御部
２３、１２３  発信制御部
２４、１２４  入力部
２５、１２５  表示部
３０  留守番メッセージ蓄積装置
４０、１４０  発側交換機
５０、１５０  着側交換機
６０、１６０  通信網
７０  発信画面
７１  通信相手先入力フィールド
７２  通信用件入力フィールド
７３  緊急度選択ラジオボタン
７４  発信ボタン
８０  着信通知画面
８１  発信者情報表示部
８２  通信用件表示部
８３  緊急度表示部
９０  着信条件表
９１  着信条件活性フラグ
９２  着信条件
９３  条件要素
１００  メッセージ管理情報
１０１ａ、１０１ｂ、１０１ｃ  蓄積部
１２６  一時記憶部
１２７  着信条件蓄積部
【図１】
2005117170.tif 000003
【図２】
2005117170.tif 000004
【図３】
2005117170.tif 000005
【図４】
2005117170.tif 000006
【図５】
2005117170.tif 000007
【図６】
2005117170.tif 000008
【図７】
2005117170.tif 000009
【図８】
2005117170.tif 000010
【図９】
2005117170.tif 000011
【図１０】
2005117170.tif 000012
【図１１】
2005117170.tif 000013
【図１２】
2005117170.tif 000014